(57)【要約】【課題】照明器具のコストや大型化を抑えつつ、光の演出効果を得ることができる照明器具を提供する。【解決手段】照明器具１０は、主照明として用いる蛍光ランプ１３の天井面１１側への配光を間接光として用いる器具である。この照明器具１０は、間接光を任意形状に彩色することで光を演出する彩色手段１８を蛍光ランプ１３と天井面１１との間に備えている。これにより、間接光のうち、彩色手段１８を透過しない光と、彩色手段１８を透過した光とのそれぞれの色（彩色）を異ならせることができる。【選択図】図１
2010170959.tif 000002
【特許請求の範囲】
【請求項１】
主照明として用いる放電灯の設置面側への配光を間接光として用いる照明器具において、
前記間接光を任意形状に彩色することで光を演出する演出手段を前記放電灯と前記設置面との間に備えたことを特徴とする照明器具。
【請求項２】
主照明として用いる放電灯の設置面側への配光を間接光として用いる照明器具において、
前記間接光を任意形状に遮光することで光を演出する演出手段を前記放電灯と前記設置面との間に備えたことを特徴とする照明器具。
【請求項３】
請求項１または請求項２に記載の演出手段のうち、少なくとも一部を変更可能としたことを特徴とする照明器具。
【請求項４】
請求項１または請求項２に記載の主照明として用いる放電灯が平面螺旋形状の蛍光ランプであることを特徴とする照明器具。
【発明の詳細な説明】
【技術分野】
【０００１】
本発明は、主照明として用いる放電灯の設置面側への配光を間接光として用いる照明器具に関する。
【背景技術】
【０００２】
従来例１の照明器具１００は、図４に示すように、主照明の役割を担う器具本体１０１が天井面１０２に設けられ、器具本体１０１に蛍光ランプ１０３，１０４を備え、蛍光ランプ１０３，１０４の外側に蛍光ランプ１０３と略同じ高さで演出用の発光ユニット（ＬＥＤ）１０５を備え、発光ユニット１０５の光出射面側に光拡散部材１０６を備えている。
【０００３】
蛍光ランプ１０３，１０４を照射することで、蛍光ランプ１０３，１０４からの照射光が反射板１０７で反射され、反射された反射光が主として天井面とは反対側に配光される。
一方、演出用の発光ユニット１０５からの照射光が器具側面方向へ射出され、射出されたが光拡散部材１０６で拡散される
このように、主照明の役割を担う蛍光ランプ１０３，１０４とは別に、演出用の発光ユニット１０５を用いることで光の演出をおこなうことができる。
【０００４】
すなわち、照明器具１００によれば、発光ユニット１０５を動作させ、主照明とは異なる光色による演出効果を得ることで、屋内雰囲気を変化させることが可能である。
また、これらの発光ユニット１０５にそれぞれ赤緑青系色を個別に調光可能なＬＥＤ（半導体素子）を用いることで、任意の光色を作り出すことが可能であり、演出効果を高めることができる（例えば、特許文献１参照。）。
【０００５】
つぎに、演出用の発光ユニット１０５を個別に用いる必要のない従来例２の照明器具について説明する。
従来例２の照明器具１１０は、図５（Ａ），（Ｂ）に示すように、不透明な材料からなる箱体１１１内にランプ１１２がランプ固定金物１１３で取り付けられるとともに、フィン１１４が糸１１５で吊り下げられている。
箱体１１１は、吸気のための開口部１１６と、排気のための開口部１１７と、光を外部へ照射するためのスリット１１８とを備えている。フィン１１４は、例えばアルミ箔のように計量で風に揺れやすいもので作られている。
【０００６】
照明器具１１０によれば、ランプ１１２による熱気の上昇気流でフィン１１４が揺れ動き、スリット１１８を透過する光がフィン１１４の動く影に影響され、揺らぎのある筋状の光となって灯光面に現れ、この光を用いて光の演出がおこなわれる（例えば、特許文献２参照。）。
【０００７】
ついで、従来例３の照明器具について説明する。
従来例３の照明器具１２０は、図６に示すように、照明カバー（セード）１２１の表面に内側に窪んだ凹部１２２を形成し、この凹部１２２内で照射エリアから死角となる部位に蓄光層が配置されている。蓄光層は、蓄光材が配合され、所定の模様に形成されている。
この照明カバー１２１を用いることで点灯時と消灯時のイメージの差による演出効果が得られる（例えば、特許文献３参照。）。
【先行技術文献】
【特許文献】
【０００８】
【特許文献１】特開２００６−２３６７８２号公報
【特許文献２】登録実用新案第３０８９３６１号公報
【特許文献３】特開２００４−１９９９３７号公報
【発明の概要】
【発明が解決しようとする課題】
【０００９】
しかしながら、特許文献１の照明器具１００は、主光源としての蛍光ランプ１０３，１０４とは別に演出用の発光ユニット１０５を設け、それぞれの光源の制御をおこなう必要がある。
このため、照明器具１００に複数の光源１０３，１０４，１０５と、それぞれの点灯装置が必要になり、照明器具１００のコストを抑えることが難しいとされていた。
加えて、蛍光ランプ１０３の外側に発光ユニット１０５を設け、発光ユニット１０５の外側に光拡散部材１０６を設けるため、照明器具１００が大型化してしまうという問題があった。
【００１０】
また、特許文献２の照明器具１１０は、ランプ１１２による熱気の上昇気流と、箱体１１１に設けられた開口部１１６，１１７からの吸気及び排気とを動力源としてフィン１１４に揺れを生じさせている。よって、フィン１１４の動作は設置場所の温度や気密性などにより異なる。このため、照明器具１１０が設置される条件によっては意図した演出効果が得られない虞がある。
また、箱体１１１内にフィン１１４を設けるスペースを確保する必要があるため、箱体１１１の体積が大きくなり、主照明と同一箱体内への搭載が困難になるという課題があった。
【００１１】
さらに、特許文献２の照明器具１１０は、箱体１１１に吸気口１１６・排気口１１７・灯光スリット１１８を設けているが、防虫・防滴の観点からすれば箱体１１１に穴を設けるのは好ましくない。
例えば、照明器具１１０を住宅用、特に天井面に設置して使用する照明器具として用いるにはメンテナンスがやり難いなどの大きな課題が発生してしまう。
【００１２】
ところで、特許文献３の照明器具１２０は、照明カバー（セード）１２１に蓄光層を設けるだけである。よって、特許文献１の照明器具１００のように、演出用の発光ユニット１０５を個別に設ける必要がなく、特許文献２の照明器具１１０のように、箱体１１１内にフィン１１４を設けるスペースを確保する必要がない。
【００１３】
しかし、照明器具１２０が演出効果を発揮する状況は、「照明器具から僅かの限定的時間」であり、照明点灯中に演出を継続させることはできない。
このように、特許文献１〜３の照明器具においては、演出効果を得るために、複数の光源が必要であったり、器具の大型化を招くといった課題があった。
【００１４】
本発明の目的は、上記従来の問題点に鑑みてなされたものであり、照明器具のコストや大型化を抑えつつ、光の演出効果を得ることができる照明器具を提供することを課題とする。
【課題を解決するための手段】
【００１５】
本発明は、主照明として用いる放電灯の設置面側への配光を間接光として用いる器具において、前記間接光を任意形状に彩色することで光を演出する演出手段を前記放電灯と前記設置面との間に備えたことを特徴とする。
【００１６】
また、本発明は、主照明として用いる放電灯の設置面側への配光を間接光として用いる器具において、前記間接光を任意形状に遮光することで光を演出する演出手段を前記放電灯と前記設置面との間に備えたことを特徴とする。
【００１７】
さらに、本発明は、演出手段のうち、少なくとも一部を変更可能としたことを特徴とする。
【００１８】
また、本発明は、主照明として用いる放電灯が平面螺旋形状の蛍光ランプであることを特徴とする。
【発明の効果】
【００１９】
本発明では、放電灯の間接光を任意形状に彩色する演出手段を放電灯と設置面との間に備えた。
よって、間接光のうち、演出手段を透過しない光と、演出手段を透過した光とのそれぞれの色（彩色）を異ならせることができる。このように、間接光の色を異ならせることで、間接光を演出した状態で設置面に投影することができる。
これにより、光を演出するために、主照明とは別の光源を用意する必要がなく、照明器具のコストや大型化を抑えつつ、光の演出効果を得ることができる。
【００２０】
また、本発明では、放電灯の間接光を任意形状に彩色する遮光手段を放電灯と設置面との間に備えた。
よって、間接光のうち、遮光手段で遮光された部分が描くシルエットを設置面に投影させることができる。遮光手段で遮光された部分でシルエットを描くことで、光と影によるシンプルな演出をおこなうことができる。
これにより、光を演出するために、主照明とは別の光源を用意する必要がなく、照明器具のコストや大型化を抑えつつ、光の演出効果を得ることができる。
【００２１】
壁面演出は、例えば、葉っぱ模様、幾何学模様、星空模様を天井面（設置面）などに描写したり、キャラクター模様を壁面（設置面）などに描写することが可能である。
【００２２】
さらに、本発明では、演出手段のうち、少なくとも一部を変更可能とした。
これにより、ユーザが任意に演出手段を変更できるので、ユーザの好みに合わせて演出模様を実現でき、演出効果を高めることができる。
【００２３】
また、本発明では、主照明として用いる放電灯を平面螺旋形状の蛍光ランプとすることで、環状の蛍光ランプと比較して面光源に近い形状とすることができる。
これにより、平面螺旋形状の蛍光ランプは、間接光で演出をおこなう光源として適している。
【００２４】
さらに、平面螺旋形状の蛍光ランプを用いることで、環状の放電灯においては構造上避けられない光の中落ち（ランプ内径内が暗くなること）を解消することができる。
これにより、環状の放電灯を用いた場合と比較して、より明瞭な主照明を得るとともに演出効果を得ることができる。
【図面の簡単な説明】
【００２５】
【図１】本発明に係る照明器具（第１実施形態）を示す断面図
【図２】本発明に係る照明器具（第２実施形態）を示す断面図
【図３】本発明に係る照明器具（第３実施形態）を示す断面図
【図４】従来例１の照明器具を示す断面図
【図５】（Ａ）は従来例２の照明器具を示す斜視図、（Ｂ）は（Ａ）に示す照明器具のＡ−Ａ線断面図
【図６】従来例３の照明器具を示す側面図
【発明を実施するための形態】
【００２６】
本発明を実施するための最良の形態を添付図に基づいて以下に説明する。
【００２７】
（第１実施形態）
第１実施形態に係る照明器具１０について説明する。
図１に示すように、照明器具１０は、天井面（設置面）１１に吊下げ手段１２で所定間隔をおいて取り付けられる天井面吊下げ型器具である。
【００２８】
照明器具１０は、主照明として用いられる平面螺旋形状の蛍光ランプ（放電灯）１３と、蛍光ランプ１３の点灯を制御する点灯制御ブロック１４と、点灯制御ブロック１４を内包する放電点灯装置１５と、器具外郭を構成する床側透光材１６および天井側透光材１７と、天井側透光材１７上に設けられた彩色手段（演出手段）１８とを備えている。
【００２９】
この照明器具１０は、天井面１１から延ばされた給電線で給電され、蛍光ランプ１３から照射された天井面１１側への配光を間接光として用いる器具である。
【００３０】
放電点灯装置１５は、平面螺旋形状の蛍光ランプ１３の外周に沿うような形状で配置されている。
よって、照明器具１０の高さ寸法を低く抑え、照明器具１０を薄型化できる。さらに、照明器具１０の高さ寸法を低く抑えることで、床側透光材１６および天井側透光材１７に向かって発せられるランプ光が放電点灯装置１５で遮られることはない。
【００３１】
床側透光材１６は、蛍光ランプ１３の下方に、床面に対向するように設けられている。
天井側透光材１７は、蛍光ランプ１３の上方に、天井面１１に対向するように設けられている。
床側透光材１６および天井側透光材１７は、それぞれ用途が異なるため、必ずしも同じ材質である必要はない。
【００３２】
彩色手段１８は、例えば、着色透光材で投光面１９上に描かれた模様であり、蛍光ランプ１３のランプ光を照射することで天井面１１への演出効果として用いられる。
この彩色手段１８は、天井側透光材１７が全面透光材であることを活かして、例えばキャラクターの模様などを描くことも可能である。
【００３３】
すなわち、彩色手段１８は、蛍光ランプ１３と天井面１１との間に備えられ、蛍光ランプ１３の間接光を任意形状に彩色する手段である。
この彩色手段１８は、少なくとも一部をユーザが変更できるものである。
これにより、ユーザが任意に彩色手段１８を変更できるので、ユーザの好みに合わせて演出模様を実現でき演出効果を高めることができる。
【００３４】
第１実施形態の照明器具１０によれば、蛍光ランプ１３点灯することにより、床側透光材１６を経て床面方向に照射される直射光（主照明）と、天井側透光材１７を経て天井方向に照射される間接光を確保できる。
【００３５】
ここで、天井側透光材１７を経て天井方向に照射される間接光のうち、一部の間接光が彩色手段（着色透光材）１８を経て彩色され、天井面１１の投光面１９に模様が描かれる。
例えば、彩色手段１８として天井側透光材１７にキャラクターの模様を描いた場合、天井面１１にキャラクターの模様を表示することができる。
【００３６】
よって、天井面１１の投光面１９に描く模様を、天井面１１への演出効果として用いることができる。
これにより、光を演出するために、主照明としての蛍光ランプ１３とは別の光源を用意する必要がなく、照明器具１０のコストや大型化を抑えつつ、光の演出効果を得ることができる。
【００３７】
つぎに、第２実施形態および第３実施形態を図２〜図３に基づいて説明する。なお、第２実施形態および第３実施形態において第１実施形態と同様の構成部材について同じ符号を付して説明を省略する。
【００３８】
（第２実施形態）
第２実施形態に係る照明器具４０について説明する。
図２に示すように、第２実施形態の照明器具４０は、天井面１１に吊下げ手段４１で所定間隔をおいて取り付けられる天井面吊下げ型器具である。
【００３９】
照明器具４０は、主照明として用いられる環状の蛍光ランプ（放電灯）４２と、蛍光ランプ４２の点灯を制御する点灯制御ブロック４３と、点灯制御ブロック４３を内包する放電点灯装置４４と、透過材にて構成された器具本体４５と、器具本体４５のうち天井面１１に対向する上面部４５ａ上に設けられた遮光手段（演出手段）４６と、蛍光ランプ４２を覆うセード４７とを備えている。
【００４０】
この照明器具４０は、天井面１１に設けられた給電装置４８を通る吊下げ手段（吊下げ線）４１によって、放電点灯装置４４に給電するとともに、天井面１１と一定の間隔をおいて保持されている。
【００４１】
放電点灯装置４４は、蛍光ランプ４２の上方の天井面１１側に配置されることで反射板の役割をも兼ねる部材である。
器具本体４５は、天井面１１に対向する上面部４５ａが透光材で形成されている。透光材で形成した上面部４５ａに遮光手段４６が配置されている。
【００４２】
遮光手段４６は、上面部４５ａに遮光手段４６が任意の形状に配置され、間接光を任意形状に遮光（遮断）することで、天井面１１の投光面４９へ投影されるシルエットを演出することが可能である。
シルエットによる壁面演出は、例えば、葉っぱ模様、幾何学模様、星空模様を描写したり、キャラクター模様を描写することが可能である。
【００４３】
すなわち、遮光手段４６は、蛍光ランプ４２と天井面１１との間に備えられ、蛍光ランプ４２の間接光を任意形状に遮光する手段である。
この遮光手段４６は、少なくとも一部をユーザが変更できるものである。
これにより、ユーザが任意に遮光手段４６を変更できるので、ユーザの好みに合わせて演出模様を実現でき演出効果を高めることができる。
【００４４】
第２実施形態の照明器具によれば、器具本体４５の上面部４５ａを透光材で形成し、上面部４５ａに遮光手段４６を配置することで、天井面１１の投光面４９にシルエットを投影することができる。
よって、天井面１１の投光面４９に投影されたシルエットを、天井面１１への演出効果として用いることができる。
【００４５】
これにより、光を演出するために、主照明としての蛍光ランプ４２とは別の光源を用意する必要がなく、照明器具４０のコストや大型化を抑えつつ、光の演出効果を得ることができる。
【００４６】
なお、第２実施形態では、光源として環状の蛍光ランプ４２を用いたが、第１実施形態と同様に平面螺旋形状の蛍光ランプを用いることで、天井面１１側に照射される光を十分に確保（保護）できる。
【００４７】
このように、環状の蛍光ランプ４２に代えて平面螺旋形状の蛍光ランプを用いることで、環状の蛍光ランプ１３と同様の演出効果が得られ、加えて、面光源の特色を活かして、光の中落ち（ランプ内径内が暗くなること）のない明瞭な主照明としての役割を果たすことができる。
【００４８】
（第３実施形態）
第３実施形態に係る照明器具５０について説明する。
図３に示すように、第３実施形態の照明器具５０は、演出効果を施す投光面を壁面（設置面）５１に設定したものである。
【００４９】
すなわち、第１実施形態の照明器具１０および第２実施形態の照明器具４０は、天井面１１に投光面１９，３９が設けられている。そのため、演出効果を直接視認する機会が少なく、空間演出的な役割を担っていた。
【００５０】
これに対して、照明器具５０は、壁面５１に投光面５２が設定されているので、第１実施形態の照明器具１０や第２実施形態の照明器具４０と比べてユーザに視認しやすい演出効果が得られる。
【００５１】
この照明器具５０は、セード（透光材）５３のうち斜面５３ａに遮光手段（演出手段）５４が設けられている。この斜面５３ａは壁面５１側に対向する面である。
よって、照明器具５０の外形（外枠）５０ａよりさらに外側の投光面５２に対して演出効果を発揮することが可能になり、ユーザに視認しやすい演出効果が得られる。
【００５２】
これにより、光を演出するために、主照明としての蛍光ランプ１３とは別の光源を用意する必要がなく、照明器具５０のコストや大型化を抑えつつ、光の演出効果を得ることができる。
【００５３】
なお、本発明に係る照明器具は、前述した実施形態に限定されるものではなく適宜変更、改良などが可能である。
例えば、第１実施形態〜第３実施形態で示した照明器具１０，４０，５０、天井面１１、蛍光ランプ１３，３２、彩色手段１８、遮光手段４６，５４および壁面５１などの形状は例示したものに限定するものではなく適宜変更が可能である。
【符号の説明】
【００５４】
１０，４０，５０  照明器具
１１  天井面（設置面）
１３，３２  蛍光ランプ（放電灯）
１８  彩色手段（演出手段）
４６，５４  遮光手段（演出手段）
５１  壁面（設置面）
【図１】
2010170959.tif 000003
【図２】
2010170959.tif 000004
【図３】
2010170959.tif 000005
【図４】
2010170959.tif 000006
【図５】
2010170959.tif 000007
【図６】
2010170959.tif 000008